(57)【要約】【課題】成形品取出機の操作方法やトラブル対処方法等の解説を実機の動きが実感できる動画表示によって行う成形品取出機のコントローラを提供する。【解決手段】成形品取出機５のコントローラ１は、外部回線２を通じて動画マニュアルサーバー３と通信接続される。動画マニュアルサーバー３には、成形品取出機５の取扱いに関する解説が成形品取出機５の実写、模擬映像又はアニメ等による動画によって行われる動画情報を含む動画マニュアルが格納されている。そして、コントローラ１は、通信部１４を介して動画マニュアルサーバー３と通信し、表示制御手段により動画マニュアルを読み出し表示部１１の表示画面上に動画表示させる。これにより、コントローラ１において成形品取出機５の操作方法等の解説が実機の動きを実感できる動画表示によって行われ、作業者への理解を容易にすることができる。【選択図】図１
2008246712.tif 000002
【特許請求の範囲】
【請求項１】
表示画面を有し、成形品取出機の操作等を行うコントローラにおいて、
成形品取出機の取扱いに関する解説が成形品取出機の実写、模擬映像又はアニメ等による動画によって行われる動画情報を含む動画マニュアルを読み出して上記表示画面上に動画表示する表示制御手段を備えることを特徴とする成形品取出機のコントローラ。
【請求項２】
請求項１に記載の成形品取出機のコントローラにおいて、
上記動画マニュアルを格納するサーバーと通信する通信手段を備え、
上記表示制御手段は、上記通信手段を介して上記サーバーから所望の動画マニュアルを読み出す構成としたことを特徴とする成形品取出機のコントローラ。
【請求項３】
請求項１に記載の成形品取出機のコントローラにおいて、
上記動画マニュアルを格納する記録媒体を備え、
上記表示制御手段は、上記記録媒体から所望の動画マニュアルを読み出す構成としたことを特徴とする成形品取出機のコントローラ。
【発明の詳細な説明】
【技術分野】
【０００１】
本発明は、表示画面を有し、成形品取出機の操作等を行う成形品取出機のコントローラに関する。
【背景技術】
【０００２】
成形品取出機は、成形機に付設され、その取出ヘッドで成形機の金型内から成形品を取り出し成形機外の所定の開放位置で成形品を回収させる動作を自動的に行う。また、成形品取出機には、成形品取出機の位置設定、ティーチング等の各種の設定操作等を行うコントローラが接続されている。そして、成形品取出機の作業者は、このコントローラで成形品取出機の設定操作等を行う際に解らない操作方法等があると、冊子となって別に用意された取扱説明書を参照する。取扱説明書は、成形品取出機の各種の設定操作等の方法のほか、トラブル対処方法や成形品取出機の各部の説明等が文章やイラスト等によって解説されている。
【特許文献１】特開２００６−２８１５９６号公報
【発明の開示】
【発明が解決しようとする課題】
【０００３】
しかしながら、このような取扱説明書は、イラスト入りの説明であっても、成形品取出機の実機の動きが実感できないため、必ずしも解りやすいものではなかった。また、上記コントローラには、液晶パネル等の表示部が設けられ、各種の操作画面が表示されるものの、画面表示からは成形品取出機の操作方法等を知ることはできない。
【０００４】
本発明は、上記事情に鑑みてなされたもので、成形品取出機の操作方法やトラブル対処方法等の解説を実機の動きが実感できる動画表示によって行う成形品取出機のコントローラを提供することを課題とする。
【課題を解決するための手段】
【０００５】
（１）本発明に係る成形品取出機のコントローラは、
表示画面を有し、成形品取出機の操作等を行うコントローラにおいて、
成形品取出機の取扱いに関する解説が成形品取出機の実写、模擬映像又はアニメ等による動画によって行われる動画情報を含む動画マニュアルを読み出して上記表示画面上に動画表示する表示制御手段を備えることを特徴とするものである。
これにより、作業者は、成形品取出機の操作方法等を実機の動きを体感して知ることができる。
【０００６】
（２）また、上記コントローラは、
上記動画マニュアルを格納するサーバーと通信する通信手段を備え、
上記表示制御手段は、上記通信手段を介して上記サーバーから所望の動画マニュアルを読み出す構成としてもよい。
この場合、サーバーにおいて動画マニュアルを最新版に更新することで、作業者は、常に最新のマニュアルを見ることができる。
【０００７】
（３）また、上記コントローラにおいて、
上記動画マニュアルを格納する記録媒体を備え、
上記表示制御手段は、上記記録媒体から所望の動画マニュアルを読み出す構成としてもよい。
これにより、コントローラに外部との通信機能がなくても、作業者は、成形品取出機の操作方法等を実機の動きを体感して知ることができる。
【発明の効果】
【０００８】
本発明によれば、成形品取出機のコントローラにおいて、成形品取出機の操作方法やトラブル対処方法等の解説が実機の動きを実感できる動画表示によって行われるので、作業者は、成形品取出機の操作方法やトラブル対処方法等を容易に理解することができる。
【発明を実施するための最良の形態】
【０００９】
以下に、本発明の実施形態について図面を参照しながら説明する。
図１は、実施の形態による成形品取出機５のコントローラ１を用いた動画マニュアル表示システムの全体構成を示すシステム構成図である。
図１に示すシステムは、成形機４に付設された成形品取出機５のコントローラ１と、コントローラ１と通信接続されるインターネット等の外部回線２と、外部回線２と通信接続される動画マニュアルサーバー３とを備える。
【００１０】
成形品取出機５は、成形機４の金型内から取出ヘッドで成形品を取り出し成形機４外の所定の開放位置で成形品を回収させる動作を自動的に行う装置である。コントローラ１は、この成形品取出機５に有線または無線で接続され、成形品取出機５の位置設定、ティーチング等の各種の設定操作等を行う装置である。
【００１１】
図２は、このコントローラ１に成形品取出機５の取扱い説明である動画マニュアルを表示させるためのコントローラ１の構成を示すブロック図である。
図２に示すように、コントローラ１は、タッチ操作可能な液晶パネル等の画面を有する表示部１１と、画面上のタッチ操作等で操作入力を行う入力部１２と、このコントローラ１全般を制御する制御部１３と、外部回線２と通信接続するための通信部１４とを有する。
制御部１３には、通信部１４や入力部１２等から入力された各種の情報を処理して表示部１１に所定の表示を行わせる表示制御部１５と、コントローラ１を動作させるためのプログラムや、各種データ等を格納する記憶部１６とを備える。
【００１２】
また、図１を参照して、動画マニュアルサーバー３は、成形品取出機５の供給元等で構成されるサービスセンター３０内に備えられている。この動画マニュアルサーバー３には、成形品取出機５の設定操作、トラブル対処法等の取扱いに関する解説を実機の実写、模擬映像またはアニメーション等によって行う動画情報と、この動画情報の目次や索引等となるメニュー情報とを含む動画マニュアルが格納されている。
ここで、上記実機の実写とは、使用されている成形品取出機５と全く同一の実機（成形品取出機）による映像をいい、上記実機の模擬映像とは、使用されている成形品取出機５と同一タイプであるが、サイズや仕様等で異なる実機（成形品取出機）による映像をいい、実機のアニメーションとは、使用されている成形品取出機５と同一またはサイズや仕様等で異なる成形品取出機を模したアニメ映像をいう。
【００１３】
次に、上記コントローラ１において、成形品取出機５の動画マニュアルを表示させる動作を説明する。
図３は、コントローラ１の表示部１１に動画マニュアルを表示させるための動作を示すフローチャートである。図３を参照して、まず、コントローラ１のメニュー画面から画面操作して、動画マニュアルを選択する（Ｓ１）。すると、コントローラ１は、その通信部１４から外部回線２を通じてサービスセンター３０の動画マニュアルサーバー３と通信接続が確立される（Ｓ２）。この通信接続が確立されると、動画マニュアルサーバー３に格納する動画マニュアルからメニュー情報がコントローラ１において読み出され、表示制御部１５の処理により動画マニュアルメニュー画面が表示部１１に表示される（Ｓ３）。
【００１４】
図４は、この動画マニュアルメニュー画面の画面構成の一例を示す。図４に示すように、動画マニュアルメニュー画面６は、キーワード検索バー６１、目次一覧６２、キーボード６３等の表示を有する。目次一覧６２には、この動画マニュアルメニュー画面６の表示当初に、動画マニュアルを大きくまとめた目次が表示される。なお、目次一覧６２から作業者が知りたい目的の解説を見つけるのが困難な場合等は、キーワード検索バー６１にキーワードを入力し検索させる。すると、そのキーワードを含む目次が目次一覧６２として表示される。これにより、目的の目次を簡単に見つけ出すことができる。なお、キーワード検索バー６１へのキーワードの入力は、画面表示されているキーボード６３をタッチ操作して行う。また、この動画マニュアルメニュー画面６に表示された戻るボタン６４を操作することにより初期のメニュー画面に戻される。
【００１５】
そして、表示された目次一覧６２から目的の項目を選択操作する（Ｓ４）。すると、選択した項目の動画情報が動画マニュアルサーバー３に格納する動画マニュアルから読み出され、表示制御部１５により表示部１１が解説画面７（図５）に切り替えられて、上記動画情報による成形品取出機５の設定操作等の解説が表示される（Ｓ５）。この解説画面７における解説は、成形品取出機５の実写、模擬映像又はアニメーション等の動画７１による実機の実演によって行われる。また、この解説は、コントローラ１の操作の仕方も合わせて動画表示される。
【００１６】
図５は、この解説画面の一例として、成形品取出機５の取出動作の全体が動画表示されている場合を示している。図５に示すように、解説画面７には、成形品取出機５の実写、模擬映像又はアニメーション等の動画７１の表示のほかに、この動画７１を一時停止、再生、巻き戻し、早送り等の操作ボタン７２を有し、これらの操作ボタン７２を操作することにより、解説の進捗を作業者によって自由に変更することができる。
【００１７】
また、解説画面７には、視点ボタン７３を有し、この視点ボタン７３を操作することにより、成形品取出機５を眺める視点位置を作業者によって自由に変更することができる。例えば、視点ボタン７３をタッチ操作するたびに、成形機４の操作パネルが配置された側の操作側から成形品取出機５を眺める視点位置と、成形機４の操作パネルが配置された側の反対の反操作側から成形品取出機５を眺める視点位置とに表示切替えすることができる。また、上記の動画７１による解説は、音声ガイダンスや文字ガイダンス等のガイダンスと合わせて行われる。なお、上記の視点位置に対応した成形品取出機５の動画情報や、ガイダンス情報等は、上記動画マニュアルに備えられている。また、コントローラ１には、音声ガイダンスを実現するスピーカ（図示せず）が備えられている。
【００１８】
そして、上記動画マニュアルの閲覧を終了させるには、画面上の終了ボタン７４を操作する（Ｓ６）。すると、制御部１３において動画マニュアルの表示動作が終了され、表示部１１には初期のメニュー画面あるいは動画マニュアルメニュー画面６が表示される。
【００１９】
以上のように、実施の形態によれば、成形品取出機５のコントローラ１において、成形品取出機５の操作方法やトラブル対処方法等の解説を実機の動きが実感できる動画の表示によって行われるので、作業者は、成形品取出機５の操作方法やトラブル対処方法等を容易に理解することができる。従って、成形品取出機５の取扱い説明の参照が効率よく行え、その結果、成形品取出機５を早期に稼動状態へ移行させることができる。
【００２０】
また、このコントローラ１は、動画マニュアルサーバー３へアクセスして動画マニュアルを閲覧する形式とするので、動画マニュアルサーバー３において動画マニュアルを最新版に更新することで、作業者は、常に最新のマニュアルを見ることができる。
【００２１】
なお、本発明は、上記実施の形態に限らず、種々の設計変更を施すことが可能である。
例えば、上記実施の形態では、動画マニュアルサーバー３へ通信して動画マニュアルを読み出すようにするが、コントローラ１は、上記動画マニュアルを記録した記憶手段（例えば、ＤＶＤ等の記憶媒体やハードディスク等の内蔵メモリ等）を備え、この記憶手段から動画マニュアルを読み出し画面表示させるようにしてもよい。この場合、コントローラ１に外部との通信機能がなくても、作業者は、成形品取出機５の操作方法等を実機の動きを体感して知ることができる。なお、この記憶手段は、図２に示す記憶部１６に有していてもよい。
【図面の簡単な説明】
【００２２】
【図１】本実施の形態による成形品取出機のコントローラを用いた動画マニュアル表示システムの全体構成を示すシステム構成図である。
【図２】本実施の形態によるコントローラにおいて成形品取出機の取扱い説明である動画マニュアルを表示させるための構成を示すブロック図である。
【図３】本実施の形態によるコントローラに動画マニュアルを表示させるための動作を示すフローチャートである。
【図４】本実施の形態によるコントローラに表示される動画マニュアルメニュー画面の画面構成の一例を示す模式図である。
【図５】本実施の形態によるコントローラに表示される解説画面の画面構成の一例を示す模式図である。
【符号の説明】
【００２３】
１  コントローラ
２  外部回線
３  動画マニュアルサーバー（サーバー）
４  成形機
５  成形品取出機
６  動画マニュアルメニュー画面
７  解説画面
１１  表示部
１２  入力部
１３  制御部
１４  通信部（通信手段）
１５  表示制御部（表示制御手段）
１６  記憶部
３０  サービスセンター
７１  動画
【図１】
2008246712.tif 000003
【図２】
2008246712.tif 000004
【図３】
2008246712.tif 000005
【図４】
2008246712.tif 000006
【図５】
2008246712.tif 000007